(57)【要約】【課題】表示側ケースが操作側ケースの短手方向に沿ってスライドするとともに、前記操作側ケースに対して斜めに開けられる携帯式電子装置を提供すること。【解決手段】本発明に係る携帯式電子装置は、操作側ケースと、前記操作側ケースに重ね合わせて設置される表示側ケースと、前記操作側ケースに固定される固定板及び前記固定板にスライド可能に組み合わせるスライド板を含むスライド機構と、両端がそれぞれ前記スライド板及び前記表示側ケースに回転可能に連結される連結ロッドと、両端がそれぞれ前記操作側ケース及び前記連結ロッドに回転可能に連結される回転支持部品と、を備えてなる。前記表示側ケースを前記操作側ケースに対して押してスライドさせると、前記スライド板は前記固定板に対してスライドすると共に、連動して前記連結ロッド及び前記回転支持部品を前記操作側ケースに対して回転させて、従って、前記表示側ケースの前記連結ロッドと連結する一端は、前記回転支持部品に支持されて次第に起き上がるようになる。【選択図】図１
2011147099.tif 000002
【特許請求の範囲】
【請求項１】
操作側ケースと、
前記操作側ケースに重ね合わせて設置される表示側ケースと、
前記操作側ケースに固定される固定板及び前記固定板にスライド可能に組み合わせるスライド板を含むスライド機構と、
両端がそれぞれ前記スライド板及び前記表示側ケースに回転可能に連結される連結ロッドと、
両端がそれぞれ前記操作側ケース及び前記連結ロッドに回転可能に連結される回転支持部品と、
を備えてなる携帯式電子装置であって、
前記表示側ケースを前記操作側ケースに対して押してスライドさせると、前記スライド板は、前記固定板に対してスライドすると共に、連動して前記連結ロッド及び前記回転支持部品を前記操作側ケースに対して回転させて、従って、前記表示側ケースの前記連結ロッドと連結する一端は、前記回転支持部品に支持されて次第に起き上がるようになることを特徴とする携帯式電子装置。
【請求項２】
前記操作側ケースにはスライドピンが設置されており、前記表示側ケース上には前記スライドピンの移動を案内するガイド溝が設けられており、
前記スライドピンを前記ガイド溝内に挿入することにより、前記表示側ケースを操作側ケースに対してスライド可能にさせることを特徴とする請求項１の記載の携帯式電子装置。
【請求項３】
前記操作側ケースの両側にはそれぞれ凸台が設置され、２つの前記凸台の向き合う面にはそれぞれスライドピンが凸設され、
前記表示側ケースの両側にはそれぞれ側板が凸設され、前記ガイド溝は前記側板の側面に設けられることを特徴とする請求項１又は２に記載の携帯式電子装置。
【請求項４】
前記操作側ケース上には底壁を含む収容凹部が設けられ、前記スライド機構の固定板は、前記底壁上に固定されることを特徴とする請求項１から３のいずれかにに記載の携帯式電子装置。
【請求項５】
前記固定板の両側にはそれぞれスライドレールが凸設され、前記スライド板の両側には前記スライドレールにスライド可能に嵌合するガイド溝が設けられることを特徴とする請求項１に記載の携帯式電子装置。
【請求項６】
前記固定板の一端には、前記スライド板を前記固定板に対して当止させる滑り止め部が設置されることを特徴とする請求項５に記載の携帯式電子装置。
【請求項７】
前記連結ロッドの両端にはそれぞれ固定ピン及び位置決めピンが設けられ、前記連結ロッドは、前記固定ピンを介して前記スライド板上に枢着されると共に、前記位置決めピンを介して前記表示側ケースの一端に枢着されることを特徴とする請求項１に記載の携帯式電子装置。
【請求項８】
前記収容凹部を形成する側壁には、前記回転支持部品の一端を収納するための第二収容凹溝が設けられ、
前記第二収容凹溝の底面には、取付孔が設けられ、前記連結ロッドの中央部に近接する部位にも収容穴が設けられ、
前記回転支持部品の両端には、前記取付孔内に枢着するための第一回転軸及び前記収容穴内に枢着するための第二回転軸がそれぞれ凸設されていることを特徴とする請求項４に記載の携帯式電子装置。
【請求項９】
前記回転支持部品はスリーブと、
前記スリーブ内に上下移動可能に設置される移動ロッドと、
両端がそれぞれ前記スリーブ及び移動ロッドの中央部に当止される圧縮スプリングと、
を含み、
前記第一回転軸は前記移動ロッドの一端に凸設され、前記第二回転軸は逆方向に向けて前記第一回転軸と平行するように前記スリーブの側面に凸設されることを特徴とする請求項８に記載の携帯式電子装置。
【発明の詳細な説明】
【技術分野】
【０００１】
本発明は、携帯式電子装置に関し、特にスライド式携帯電子装置に関するものである。
【背景技術】
【０００２】
現在市販されている電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿ってスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
最近、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明の目的は、表示側ケースが操作側ケースの短手方向に沿ってスライドするとともに、前記操作側ケースに対して斜めに開けられる携帯式電子装置を提供することである。
【課題を解決するための手段】
【０００６】
前記問題を解決するために、本発明に係る携帯式電子装置は、操作側ケースと、前記操作側ケースに重ね合わせて設置される表示側ケースと、前記操作側ケースに固定される固定板及び前記固定板にスライド可能に組み合わせるスライド板を含むスライド機構と、両端がそれぞれ前記スライド板及び前記表示側ケースに回転可能に連結される連結ロッドと、両端がそれぞれ前記操作側ケース及び前記連結ロッドに回転可能に連結される回転支持部品と、を備えてなる。前記表示側ケースを前記操作側ケースに対して押してスライドさせると、前記スライド板は、前記固定板に対してスライドすると共に、連動して前記連結ロッド及び前記回転支持部品を前記操作側ケースに対して回転させて、従って、前記表示側ケースの前記連結ロッドと連結する一端は、前記回転支持部品に支持されて次第に起き上がるようになる。
【発明の効果】
【０００７】
従来の技術と比べて、本発明の携帯式電子装置の表示側ケースは操作側ケースに対して短手方向にスライドするとともに斜めに開くことができ、且つ所定の傾斜角度に位置決めできるので、ユーザーは表示された画面を閲覧し易く、最もよい視覚効果を得られる。
【図面の簡単な説明】
【０００８】
【図１】本発明の実施形態に係る携帯式電子装置の分解図である。
【図２】図１に示す携帯式電子装置のスライド機構の拡大分解図である。
【図３】図１に示す携帯式電子装置の連結ロッドを示す拡大図である。
【図４】図１に示す携帯式電子装置が組み立てられた後の開いた状態での背面斜視図である。
【図５】図４に示す携帯式電子装置のカバーボードを取り外した状態を示す図である。
【図６】図４に示す携帯式電子装置の表示側ケースを取り外した状態を示す図である。
【図７】図４に示す携帯式電子装置が閉じられた状態での斜視図である。
【図８】図７に示す携帯式電子装置のカバーボードを取り外した状態を示す図である。
【図９】図７に示す携帯式電子装置の表示側ケースを取り外した状態を示す図である。
【発明を実施するための形態】
【０００９】
以下、図面を参照しながら、本発明の実施形態に係る携帯式電子装置について詳細に説明する。
【００１０】
本発明に係る携帯式電子装置は、携帯電話、個人用携帯情報端末（ＰＤＡ）などであってもよい。本実施形態において、携帯電話を例として説明する。
【００１１】
図１に示したように、本発明の携帯電話１００は、操作側ケース１０と、表示側ケース２０と、スライド機構３０と、２つの連結ロッド４０と、２つの回転支持部品５０と、を備える。前記スライド機構３０、前記連結ロッド４０及び前記回転支持部品５０は、前記表示側ケース２０と前記操作側ケース１０との間に設置される。前記表示側ケース２０は、前記スライド機構３０により前記操作側ケース１０に対してスライドでき、且つ前記連結ロッド４０及び前記回転支持部品５０により前記操作側ケース１０に対して傾くように立ち上がる。
【００１２】
前記操作側ケース１０の前記表示側ケース２０に対面する操作面１２において、前記操作側ケース１０の短手方向の両側（短手方向に対する左右両側）には、それぞれ１つの凸台１２２が設置されている。各凸台１２２の互いに向き合う面には、スライドピン１２２２が凸設されている。前記操作面１２の中央部には、前記スライド機構３０を収納するための矩形の収容凹部１４が設けられている。前記操作面１２の長手方向の片側（長手方向に対する左右方向の一方側）には、前記収容凹部１４を部分的に覆うキーボードエリア１６が設置されている。
【００１３】
前記収容凹部１４は、底壁１４２及び４つの側壁１４４に囲まれて形成される。前記底壁１４２は各側壁１４４に直交して連結する。前記底壁１４２における前記操作側ケース１０の短手方向の両側には、互いに平行する２つの第一収容凹溝１４２２が設けられている。前記操作側ケース１０の短手方向の２つの側壁１４４における前記キーボードエリア１６から離間する上半部には、それぞれ前記操作面１２に連通する第二収容凹溝１４４２が設けられ、２つの前記第二収容凹溝１４４２は対向して設置される。各第二収容凹溝１４４２の底面には、前記回転支持部品５０の一端を取り付けるための取付孔１４４４が設けられている。
【００１４】
前記表示側ケース２０は、スライドプレート２２及び前記スライドプレート２２を覆うカバーボード２４を含む。前記スライドプレート２２には、直交して前記スライドプレート２２の短手方向の両側から上に向かって２つの側板２２２が立設されている。各側板２２２の外側面には、前記操作側ケース１０のスライドピン１２２２の移動を案内するために用いられるスライド溝２２２２が下から上に向かって斜めに設けられる。前記スライドプレート２２の前記側板２２２から離間する一端には、２つの取付凹部２２４が互いに離間して設置される。各取付凹部２２４において対向して設置される２つの側壁２２４２には、それぞれ１つの貫通孔２２４４が設けられている。２つの前記貫通孔２２４４は同軸上に設けられて前記連結ロッド４０の一端を回転可能に連結するために用いられる。前記カバーボード２４の四辺から前記スライドプレート２２に向かって前記カバーボード２４に直交する４つの側壁２４２が立設されている。
【００１５】
図２を参照すると、前記スライド機構３０は、固定板３２及び前記固定板３２にスライド可能に取り付けられるスライド板３４を含む。前記固定板３２は、ベース部材３２２、２つのスライドレール３２４及び１つの滑り止め部３２６（図６を参照）を含む。前記ベース部材３２２は略平板状であり、前記操作側ケース１０に固定される。２つの前記スライドレール３２４は互いに平行するように前記ベース部材３２２の両側に凸設されている。前記滑り止め部３２６は前記ベース部材３２２の一端に設置されて、前記スライド板３４を前記固定板３２上に当止させるために用いられる。
【００１６】
前記スライド板３４は、略平板状を呈するベース部材３４２、２つのガイド溝３４４及び固定穴３４６２を有する２つの連結用突出部３４６を含む。２つの前記ガイド溝３４４は、前記ベース部材３４２の表面に対して凸設され、前記固定板３２の２つのスライドレール３２４とスライド可能に組み合わされる。２つの前記連結用突出部３４６は、前記ベース部材３４２の一端から延在して形成される。２つの前記固定穴３４６２は、同軸上に設けられる。
【００１７】
前記連結ロッド４０は、略弧状を呈し、その両端にはそれぞれ位置決めピン４２と固定ピン４４とが設置され、且つその中央部に近接する部位には収容穴４６が設けられている。前記位置決めピン４２を前記表示側ケース２０の貫通孔２２４４に回転可能に連結することにより、前記連結ロッド４０の一端を前記表示側ケース２０に回転可能に連結できる。相応的に、前記固定ピン４４を前記スライド板３４の固定穴３４６２に回転可能に連結することにより、前記連結ロッド４０の他端を前記操作側ケース１０に回転可能に連結できる。前記収容穴４６は貫通孔であり、前記連結ロッド４０と前記回転支持部品５０とを回転可能に連結するために用いられる。
【００１８】
図３を参照すると、前記回転支持部品５０は、半閉鎖式スリーブ５２と、移動ロッド５４と、圧縮スプリング５６と、を備える。前記スリーブ５２の内部には、対向する２つの端壁５２４及び略弧状の周壁５２６に囲まれてなる収容部５２２が設けられている。一方の前記端壁５２４には円形通路５２４２が設けられ、他方の前記端壁５２４の内面には、前記円形通路５２４２に向かって位置決め部（図示せず）が凸設されている。前記周壁５２６の外側面には、前記位置決め部に隣接して第一回転軸５２６２が凸設されている。前記移動ロッド５４の一端は前記円形通路５２４２を挿通し、その端部には不規則な形の塊状体５４８が形成されている。前記塊状体５４８の１つの側面には第二回転軸５４４が凸設され、前記第二回転軸５４４と前記第一回転軸５２６２とは逆方向に向かって互いに平行するように延在する。前記移動ロッド５４の略中央部には凸環５４２が設置されているから、前記圧縮スプリング５６の一端は前記スリーブ５２の位置決め部上に被せて設置され、他端は前記凸環５４２の底部に当止される。
【００１９】
以下、図１乃至図３を参照しながら、本発明の携帯電話１００の組立工程を詳細に説明する。
【００２０】
まず、前記スライド板３４の２つのガイド溝３４４を、前記固定板３２の滑り止め部３２６が設置されていない一端から前記固定板３２の２つのスライドレール３２４に被せて設置する。続いて、前記連結ロッド４０の固定ピン４４を前記連結用突出部３４６の外側から前記固定穴３４６２に枢着することにより、２つの前記連結ロッド４０の一端を前記スライド板３４に回転可能に連結する。それから、前記回転支持部品５０の第一回転軸５２６２を前記操作側ケース１０の取付孔１４４４に枢着する。その後、一体に組み立てられた前記スライド機構３０及び前記連結ロッド４０を前記操作側ケース１０の収容凹部１４に収納してから、ねじ等（図示せず）を利用して前記固定板３２を前記操作側ケース１０上に螺着する。続いて、前記回転支持部品５０の第二回転軸５４４を前記連結ロッド４０の収容穴４６に枢着する。
【００２１】
次に、２つの前記連結ロッド４０の他端に設置された位置決めピン４２を、それぞれ前記スライドプレート２２の２つの取付凹部２２４の貫通孔２２４４に回転可能に連結する。続いて、前記操作側ケース１０の２つのスライドピン１２２２を、それぞれ前記スライドプレート２２の２つのスライド溝２２２２に挿入する。
【００２２】
最後に、前記カバーボード２４を前記スライドプレート２２に被せて、前記カバーボード２４の側壁２４２で前記スライドプレート２２の側板２２２を覆う。ここで、前記キーボードエリア１６で前記操作側ケース１０の収容凹部１４を部分的に覆う。これで、前記携帯電話１００の組立が完成する。
【００２３】
図７は前記携帯電話の閉じた状態を示している。その場合、前記回転支持部品５０の圧縮スプリング５６は圧縮されていない状態に近い。２つの前記連結ロッド４０は前記第一収容凹溝１４２２内に収納され、前記回転支持部品５０は前記第二収容凹溝１４４２内に収納される。（図９を参照）
【００２４】
以下、図４乃至図９を参照しながら、本発明の携帯電話１００の開閉時の作動原理について説明する。
【００２５】
前記携帯電話１００を開く場合、図７に示す矢印方向（前記操作側ケース１０の短手方向）に沿って前記表示側ケース２０を押して、前記表示側ケース２０を前記操作側ケース１０に対してスライドさせると、前記操作側ケース１０のスライドピン１２２２は、前記表示側ケース２０のスライド溝２２２２に沿ってスライドして、前記スライド機構３０のスライド板３４は、前記固定板３２のスライドレール３２４に沿ってスライドすると共に、連動して前記連結ロッド４０を移動させる。前記連結ロッド４０の移動に伴って、前記回転支持部品５０はその第一回転軸５２６２を軸に回転して、前記連結ロッド４０をその固定ピン４４を軸に回転させる。このように、前記連結ロッド４０は、前記回転支持部品５０に支持されて徐々に立ち上がり、前記回転支持部品５０内の圧縮スプリング５６は、前記移動ロッド５４に圧縮されて弾性力を保持する。
【００２６】
引き続き前記表示側ケース２０を押すと、前記回転支持部品５０は回転し続けて、前記圧縮スプリング５６の弾性力も最大になる。この時、前記表示側ケース２０にかけられる外力を除去すると、前記移動ロッド５４は、前記圧縮スプリング５６の解放された弾性力に駆動されて、前記スリーブ５２の円形通路５２４２から自動的に上へ跳び出る。従って、前記連結ロッド４０は前記回転支持部品５０に支持されて続けて前記固定ピン４４を軸に回転すると共に、連動して前記スライド板３４を前記固定板３２に対してスライドさせる。前記スライド板３４の一端が前記固定板３２の滑り止め部３２６に当接すると、前記スライド板３４はスライドできなくなり、停止する。前記過程において、前記表示側ケース２０の一端は、前記連結ロッド４０に駆動されて前記操作側ケース１０に対して傾くように立ち上がるとともに、前記表示側ケース２０の他端は前記操作側ケース１０の操作面１２に沿ってスライドして、前記表示側ケース２０が操作側ケース１０に対して完全に開けられる。
【００２７】
前記携帯電話１００を閉じる場合、その作動過程は前記携帯電話１００を開く場合の作動過程と相反するため、ここで具体的な説明を省略する。
【００２８】
本発明の携帯電話１００において、前記操作側ケース１０に対して前記表示側ケース２０をスライドさせると、前記連結ロッド４０は前記表示側ケース２０に連動して前記操作側ケース１０に相対して移動するため、前記回転支持部品５０もその第一回転軸５２６２を軸に回転して前記操作側ケース１０に対して傾くように立ち上がる。このように、前記連結ロッド４０は前記回転支持部品５０に支持されて、前記連結ロッド４０と前記操作側ケース１０の操作面１２との間の角度はだんだん大きくなり、前記連結ロッド４０の一端に連結される前記表示側ケース２０も、前記操作側ケース１０に対して傾くように立ち上がる。この過程において、前記回転支持部品５０内の圧縮スプリング５６の弾性力は益々増大する。前記回転支持部品５０は所定の位置まで回転すると、前記圧縮スプリング５６は保持していた弾性力を解放して、さらに前記表示側ケース２０に支持力を加えて、前記表示側ケース２０を前記操作側ケース１０に対して自動的に開放させる。
【００２９】
以上、本発明の好適な実施形態について詳細に説明したが、本発明は前記実施形態に限定されるものではなく、本発明の範囲内で種々の変形又は改良が可能であり、該変形又は該改良も、本発明の特許請求の範囲内に含まれるものであるのはいうまでもない。
【符号の説明】
【００３０】
１０        操作側ケース
１２        操作面
１４        収容凹部
１６        キーボードエリア
２０        表示側ケース
２２        スライドプレート
２４        カバーボード
３０        スライド機構
３２        固定板
３４        スライド板
４０        連結ロッド
４２        位置決めピン
４４        固定ピン
４６        収容穴
５０        回転支持部品
５２        スリーブ
５４        移動ロッド
５６        圧縮スプリング
１００      携帯電話
１２２      凸台
１４２      底壁
１４４      側壁
２２２      側板
２２４      取付凹部
２４２      側壁
３２２      ベース部材
３２４      スライドレール
３２６      滑り止め部
３４２      ベース部材
３４４      ガイド溝
３４６      連結用突出部
５２２      収容部
５２４      端壁
５２６      周壁
５４２      凸環
５４４      第二回転軸
５４８      塊状体
１２２２    スライドピン
１４２２    第一収容凹溝
１４４２    第二収容凹溝
１４４４    取付孔
２２２２    スライド溝
２２４２    側壁
２２４４    貫通孔
３４６２    固定穴
５２４２    円形通路
５２６２    第一回転軸
【図１】
2011147099.tif 000003
【図２】
2011147099.tif 000004
【図３】
2011147099.tif 000005
【図４】
2011147099.tif 000006
【図５】
2011147099.tif 000007
【図６】
2011147099.tif 000008
【図７】
2011147099.tif 000009
【図８】
2011147099.tif 000010
【図９】
2011147099.tif 000011